(57)【特許請求の範囲】
【請求項１】
植栽層と、この植栽層の裏側に位置する通気層と、この通気層に空気を送り込む送風手段とを備え、
前記植栽層は、
口部が植栽用開口部となり奥側が狭まる円すい台状とされて植栽基盤が充填されかつ前記植栽用開口部とは別の箇所に通気・通水用開口部を有する複数の栽培容器と、
これら複数の栽培容器を、前記植栽用開口部を前記通気層とは反対側に向けて挿脱可能に支持し、かつ前記通気層を通過した空気を前記栽培容器の前記通気・通水用開口部に通気可能でかつ外部に対して密封するフレームとを有し、
前記植栽層における、前記栽培容器の前記植栽用開口部が並ぶ面が壁面状となり、
前記植栽層の前記フレーム内における前記栽培容器の周囲に、前記通気層の空気および灌水を前記栽培容器の前記通気・通水用開口部へ導く充填材として、通気性、通水性、および前記栽培容器を抜き差ししても形状が崩れない適度の形状維持性を持つ材質のスポンジからなる充填材が充填され、
前記栽培容器の前記通気・通水用開口部は、前記栽培容器の周壁部における深さ方向の中央よりも底側部分のみに設けられている、
空気清浄緑化装置。
【請求項２】
請求項１に記載の空気清浄緑化装置において、前記フレームの前記通気層とは反対側の面に、前記各栽培容器を差し込む差込口を有する正面パネルを備え、前記差込口の周囲に、前記栽培容器との間の隙間を密封するシール材を設けた空気清浄緑化装置。
【発明の詳細な説明】
【技術分野】
【０００１】
この発明は、緑化機能と空気を清浄化する機能とを備えた空気清浄緑化装置に関する。
【背景技術】
【０００２】
従来、図７に示すように、緑化用の植物３０を植える土壌層３１とその裏面に配置された通気層３２とでなり、送風機（図示せず）から通気層３２に送られた空気を、前記土壌層３１の正面に通気させて浄化するものが知られている（例えば特許文献１）。土壌層３１は、箱状の外周フレーム３３内に土壌３４が充填された層である。
【０００３】
また、空気清浄の機能を持たず、かつ水耕栽培形式の緑化装置としては、複数の栽培容器を並べてフレームに着脱可能に支持するものが提案されている（例えば特許文献２）。  この他に、植栽基盤を区分して入れることができるように、複数のポケットを設けた構成が提案されている（例えば特許文献３，４）。
【先行技術文献】
【特許文献】
【０００４】
【特許文献１】特開２０１４−６４５１７号公報
【特許文献２】特開２００９−１８３２３２号公報
【特許文献３】特開２００６−０２０６２１号公報
【特許文献４】特開２０１１−１６７１３７号公報
【発明の概要】
【発明が解決しようとする課題】
【０００５】
上記特許文献１の空気清浄緑化装置では、土壌層３１の正面で植栽や植物の植え替えを行なう際に、土壌層３１の土壌３４を一部取り出し、空いたスペースに植物の根を植え付ける必要がある。そのため、作業性が悪く、また植え替え時に土壌密度が低下したり、土壌密度にむらが生じたりし、浄化する空気の流動性が低下するなどの問題がある。
【０００６】
なお、特許文献２は、参考として示したが、浄化機能を持たない緑化専用の装置であるうえ、水耕栽培形式であって、栽培容器内には水耕栽培用の培地を入れるため、植え替え時の土壌密度のむらによる浄化空気の流動性低下とは、関係しない。また、各栽培容器は上向きに設置され、壁面緑化に適用される技術ではない。
特許文献３，４の技術は、植栽基盤を区分して入れるポケットが複数設けられているが、いずれも各ポケットはフレームと一体であって、植え替えはフレームの場所で行わなければならず、施工性の向上効果が今一つ十分でない。また、浄化が考慮されていない。
【０００７】
この発明の目的は、施工性が良く、植栽や植え替えに伴う植栽基盤密度の低下や密度のむらによる空気の流動性低下を解消でき、装置の軽量化も可能な空気清浄緑化装置を提供することである。
【課題を解決するための手段】
【０００８】
この発明の空気清浄緑化装置は、植栽層と、この植栽層の裏側に位置する通気層と、この通気層に空気を送り込む送風手段とを備え、
前記植栽層は、
口部が植栽用開口部となるカップ状、詳しくは奥側が狭まる円すい台状とされて植栽基盤が充填されかつ前記植栽用開口部とは別の箇所に通気・通水用開口部を有する複数の栽培容器と、
これら複数の栽培容器を、前記植栽用開口部を前記通気層とは反対側に向けて挿脱可能に支持し、かつ前記通気層を通過した空気を前記栽培容器の前記通気・通水用開口部に通気可能でかつ外部に対して密封するフレームとを有することを特徴とする。
【０００９】
この構成によると、各栽培容器に植えられた植物で緑化の効果が得られ、また前記送風手段により前記通気層に送られた空気は、各栽培容器の前記通気・通水用開口部から栽培容器内に入り、植栽基盤を通過することで浄化される。灌水は各栽培容器の前記通気・通水用開口部から栽培容器内に入り、植栽基盤に植えられた植物の根に与えられる。このように、緑化と空気の浄化との両方の機能が得られる。
【００１０】
この場合に、複数の栽培容器をフレームに挿脱可能に支持する。そのため栽培容器をフレームから取り外した状態で栽培容器の植栽基盤に植栽したり植え替えることができ、また栽培容器ごと植物を替えることができ、植え替え等の作業性が良い。このため、植え替え時に植栽基盤の密度が低下したり、密度にむらが生じることが回避でき、再度フレームに設置して空気の浄化に用いるときに、浄化する空気の流動性が安定して得られる。フレームから取り外した栽培容器は、フレームへの取付姿勢に係わらず、上向きに置くことができ、栽培容器内の植物の養生を効果的に行える。
また、栽培容器に植物を植えることから、植栽基盤を浄化と植栽に必要な最小限の量まで削減することが可能であり、植栽基盤が減らせる分だけ装置全体を軽量化することも可能となる。植栽基盤を浄化植栽に必要な最小限の量に削減することで、植栽基盤の空気が通過する厚さを必要最小限に薄くできて、空気を送り込むための圧力を小さくでき、前記送風手段の必要な性能も低減される。
【００１１】
前記植栽層における、前記栽培容器の前記植栽用開口部が並ぶ面は、壁面状となる。
壁面緑化装置の場合、壁面に植物を植えることになるため、従来の緑化面の全面に渡り植栽基盤を設ける構成では、施工性が非常に悪く、前述の植物の植え替え時等における植栽基盤の密度低下や密度のむらの問題が大きい。しかしこの発明では、栽培容器が挿脱できる。そのため、施工性向上、植栽，植え替えに伴う植栽基盤密度の低下、密度むらの防止、およびこれによる空気の流動性低下の解消の各効果が、より一層効果的となる。
【００１２】
前記植栽層の前記フレーム内における前記栽培容器の周囲に、前記通気層の空気および灌水を前記栽培容器の前記通気・通水用開口部へ導く充填材として、通気性、通水性、および前記栽培容器を抜き差ししても形状が崩れない適度の形状維持性を持つ材質のスポンジからなる充填材が充填されている。
前記植栽層の前記フレーム内の部分は、非栽培部であり、空間として空けておいても良いが、通水性のある前記充填材を充填することで、例えば前記植栽層の上部に設けられたパイプ等の灌水手段から供給した灌水が、前記充填材があることで直接に落下せず、各栽培容器内の植栽基盤に案内される。前記充填材が通気性を持つことで、前記通気層の空気が前記栽培容器内に入ることを妨げず、前記充填材が形状維持性の性状を持つことで、前記栽培容器を抜き出したときに、抜き出し跡となる凹部が崩れず、その抜き出し跡に前記栽培容器を再度挿入することが容易に行える。
前記充填材は、植物は植えない部分であるため、材質を自由に選定でき、スポンジを用いることで、軽量化を図ることができる。
【００１３】
前記栽培容器の前記通気・通水用開口部は前記栽培容器の周壁部における底部のみに設けられている。なお、ここでいう「底部」は、栽培容器の深さ方向の中央よりも底側の部分を意味する。
通気・通水用開口部が栽培容器の植栽用開口部の近くにあると、植栽基盤内を通過する空気の流れが短絡流れとなって、前記植栽基盤に空気の浄化に寄与しない部分が多く生じる。しかし、通気・通水用開口部が栽培容器の底部に位置することで、植栽基盤のより多くの部分が空気の浄化に寄与し、効果的に空気の浄化が行われる。また、栽培容器の底部に通気・通水用開口部が存在することで、植栽基盤への灌水も効果的に行なわれる。
前記通気・通水用開口部は、前記栽培容器の周面の底部に配置することがより好ましい。周面であると、底面に設けるよりも、通気・通水用開口部を多く設けることができて、その全体の面積を大きくできる。
【００１４】
この発明において、前記フレームの前記通気層とは反対側の面に、前記各栽培容器を差し込む差込口を有する正面パネルを備え、前記差込口の周囲に、前記栽培容器との間の隙間を密封するシール材を設けても良い。
前記通気層に前記送風手段から送り込んだ空気は、さらに、前記植栽層における前記各栽培容器の間から栽培容器に送り込む。このとき、前記差込口と栽培容器との間に隙間が生じていると、空気が浄化されることなく外部に漏れるが、前記シール材を設けることで、漏れが生じず、栽培容器内に全て送り込まれる。
【００１５】
この発明の空気清浄緑化装置用栽培容器は、口部が植栽用開口部となるカップ状とされて周面の底部に通気・通水用開口部を有し、かつ開口周縁に取付用の鍔部を有し、空気の浄化機能を持つ植栽基盤が内部に充填されるものである。
【００１６】
この構成の空気清浄緑化装置用栽培容器によると、この発明の空気清浄緑化装置に使用されて前述の各効果を発揮する。この場合に、前記通気・通水用開口部が底部に位置することで栽培容器内の植栽基盤が無駄なく空気の浄化に利用される。前記通気・通水用開口部は、前記栽培容器の底面に設けられていても空気や灌水の採り入れが可能であるが、底面にあると、前記栽培容器を前記パネルから外し、立ち姿勢で植物の成育や養生を行うときに、容器を置いた面で閉ざされて灌水等が良好が行えない場合がある。しかし、前記通気・通水用開口部が周面にあると、立ち姿勢に栽培容器を置いても閉ざされることがなく、灌水が良好に行え、植物の育成や養生が行い易い。また、栽培容器の開口周縁の取付け用鍔部を利用してフレームへの栽培容器の取付けも容易に行なうことができる。
【発明の効果】
【００１７】
この発明の空気清浄緑化装置は、植栽層と、この植栽層の裏側に位置する通気層と、この通気層に空気を送り込む送風手段とを備え、前記植栽層は、口部が植栽用開口部となり奥側が狭まる円すい台状とされて植栽基盤が充填されかつ前記植栽用開口部とは別の箇所に通気・通水用開口部を有する複数の栽培容器と、これら複数の栽培容器を、前記植栽用開口部を前記通気層とは反対側に向けて挿脱可能に支持し、かつ前記通気層を通過した空気を前記栽培容器の前記通気・通水用開口部に通気可能でかつ外部に対して密封するフレームとを有し、前記植栽層における、前記栽培容器の前記植栽用開口部が並ぶ面が壁面状となり、前記植栽層の前記フレーム内における前記栽培容器の周囲に、前記通気層の空気および灌水を前記栽培容器の前記通気・通水用開口部へ導く充填材として、通気性、通水性、および前記栽培容器を抜き差ししても形状が崩れない適度の形状維持性を持つ材質のスポンジからなる充填材が充填され、前記栽培容器の前記通気・通水用開口部は、前記栽培容器の周壁部における深さ方向の中央よりも底側部分のみに設けられているため、施工性が良く、植栽や植え替えに伴う植栽基盤の密度低下や密度むらによる空気の流動性低下を解消でき、装置の軽量化も可能となる。
【図面の簡単な説明】
【００１９】
【図１】この発明の第１の実施形態にかかる空気清浄緑化装置の縦断面図である。
【図２】同空気清浄緑化装置のフレームの正面図である。
【図３】同空気清浄緑化装置の栽培容器の設置構造を、栽培容器を上向きとして示す拡大断面図である。
【図４】同空気清浄緑化装置に植栽した状態の一部を示す斜視図である。
【図５】この発明の他の実施形態にかかる空気清浄緑化装置における栽培容器の設置構造を示す説明図である。
【図６】（Ａ）〜（Ｃ）は、それぞれ、この発明のさらに他の実施形態にかかる空気清浄緑化装置における栽培容器の設置構造を示す斜視図、設置途中の断面図、および設置完了状態の断面である。
【図７】従来例の縦断面図である。
【発明を実施するための形態】
【００２０】
この発明の第１の実施形態を図１ないし図４と共に説明する。この空気清浄緑化装置１は、図１に縦断面図で示すように、表側に植物２５（図４）が植えられる植栽層２と、この植栽層２の裏側に位置する通気層３と、この通気層３に被浄化空気を送り込む送風手段４とを備え、また灌水手段１２を備える。前記植栽層２は立ち姿勢であって壁状を成し、植栽層２の表側が緑化部分となる。
【００２１】
植栽層２は、口部が植栽用開口部５ａとなる複数のカップ状の栽培容器５と、これら複数の栽培容器５を、前記植栽用開口部５ａを前記通気層３とは反対側に向けて挿脱可能に支持するフレーム６とを有する。植栽層２における前記栽培容器５内の部分は、植栽基盤７が充填されていて栽培部となり、フレーム６内の前記栽培容器５の周囲の部分は非栽培部であり、充填材１０が充填されている。
【００２２】
前記植栽基盤７は、植物の育成機能と、通過させせた空気の浄化機能とを持つ素材であればよく、例えば土壌が用いられる。土壌は、植物の育成機能に優れるだけでなく、空気の清浄機能に優れ、特に、微生物が生息していて、一般的なフィルタでは分解・低減できない臭気成分の浄化が前記微生物で行われるという利点がある。前記植栽基盤７には、土壌の他に、樹脂製のスポンジ状やフェルト状材、セラミック等を用いてもよい。また、土壌としては、自然土壌の他に、バーク堆肥等の有機系土壌改良材、或いはパーライト等の無機系土壌改良材等を用いてもよい
【００２３】
前記栽培容器５は、奥側が狭まる円すい台状であり、その大径側の端面の植栽用開口部５ａとは別の箇所、この例では周壁部における底部、つまり深さ方向の中央よりも底側の部分に、通気・通水用開口部５ｂが設けられる。 通気・通水用開口部５ｂは、例えば深さ方向に延びるスリット状とされて栽培容器５の円周方向の複数箇所に設けられている。通気・通水用開口部５ｂには、内部に充填した植栽基盤７が漏れない程度の網目のメッシュ材または通気・通水性を有する面材が張られている。
【００２４】
フレーム６は、表面パネル６ａと、その裏面側に前記表面パネル６ａと平行に配置された裏面パネル６ｂとを有する薄箱状とされ、表面パネル６ａと裏面パネル６ｂとの間はメッシュ材８で縦に仕切られている。メッシュ材８は、例えば、前記充填材１０が零れない程度の網目を持つ金属製である。メッシュ材８と裏面パネル６ｂの間の空間が通気層３とされ、メッシュ材８と表面パネル６ａとの間の部分が前記植栽層２とされる。
【００２５】
図２にフレーム６の正面図を示す。フレーム６の正面、つまり前記表面パネル６ａには、縦横に並べて前記各栽培容器５を差し込む複数の差込口９が設けられている。この実施形態では、栽培容器５の植栽用開口５ａが並ぶ面は、壁面状とされている。
図４に、図２の前記各差込口９に各栽培容器５を差し込んで取付け、植栽基盤７に植物２５を植栽した状態の一部を斜視図で示す。
【００２６】
図１において、植栽層２のフレーム６内における栽培容器５の周囲の空間には、前述のように充填材１０が充填されている。充填材１０は、通気層３の空気および灌水を栽培容器５の通気・通水用開口部５ｂへ導くための部材である。充填材１０は、通気性、通水性、および形状維持性の性状を持つ材質であり、スポンジを用いる。前記「形状維持性」は、前記栽培容器５を抜き差ししても形状が崩れない程度であればよい。
【００２７】
フレーム６の下端部には、被浄化空気を導入する開口部１１ａおよび前記通気層３に連通する連通口１１ｂを有する送風室１１が設けられている。開口部１１ａは、この例ではフレーム６の緑化面となる正面に設けられている。開口部１１ａは、通気層３における他の面に設けても良く、また被浄化空気を導入するダクト（図示せず）を接続する開口であっても良い。送風室１１には、内部の空気を通気層３に送り込む前記送風手段４が設けてられている。送風手段４は、この例ではファンからなり、送風室１１の内部に設置されている。送風手段４は送風室１１の外部や送風室１１から離れた位置に設けても良い。
【００２８】
フレ−ム６の上端部には、灌水用室１３が設けられ、その内部に灌水手段１２が設けられている。灌水手段１２は、この例では、水道等の給水源（図示せず）に配管で接続されたパイプからなり、このパイプには長さ方向の複数箇所に吐出孔（図示せず）が設けられている。灌水用室１３における植栽層２の上面に対応する部分は、開放面とされ、または充填材１０が漏れないようにしたメッシュ（図示せず）等とで構成され、灌水手段１２の前記吐出孔から吐出された水は、植栽層２の充填材１０の隙間へ流入する。なお、灌水手段１２は、前記植栽層２における前記非栽培部、つまり前記充填材１０の充填部に配置されたパイプであっても良く、またフレ−ム６の前記灌水用室１３の全体または一部に水溜部（図示せず）を設けた構成であっても良い。
【００２９】
図３は、栽培容器５のフレーム６への取付構造の例を示す。この例では、栽培容器５はその開口周縁に取付用の鍔部５ｃを有し、この鍔部５ｃは栽培容器５を前記フレーム６の表面パネル６ａの差込口９に差し込んだ状態で差込口９の周辺部に重なる。前記鍔部５ｃには複数のボルト挿通孔１３が設けられ、フレーム６の前記表面パネル６ａの差込口９の周辺部には前記ボルト挿通孔１３に対応するねじ孔１４が設けられる。これにより、鍔部５ｃの前記ボルト挿通孔１３に挿通したボルト１５を、表面パネル６ａの前記ねじ孔１４にねじ込むことで、栽培容器５をフレーム６の表面パネル６ａに固定することができる。フレーム６における表面パネル６ａの差込口９の周囲には、栽培容器５の鍔部５ｃとの間の隙間を密封するシール材１６が配置される。シール材１６は、ゴムまたは樹脂製の環状のガスケットからなる。なお、この例では、栽培容器５は、前述のように円すい台状の形状とされているが、詳しくは植栽用開口部５ａの付近の深さ範囲の部分は円筒状部５ｄとされ、この円筒状部５ｄの外周に前記鍔部５ｃが設けられている。
【００３０】
この構成の空気清浄緑化装置１によると、室内などの被浄化空気が送風手段４によって送風室１１から通気層３に送り込まれ、植栽層２を通過してその前面に吐出される。植栽層２では、被浄化空気は、充填材１０から、各栽培容器５の通気・通水用開口部５ｂに入り、栽培容器５内の植栽基盤７を通過して栽培容器５の栽培用開口部５ａ側、つまり植栽層２の前面に送り出される。この過程で、植栽基盤７により被浄化空気が浄化される。
【００３１】
栽培容器５の植栽基盤７は、栽培容器５をフレーム６の差込口９に差し込む前に予め栽培容器５内に充填しておいて、そこで植物２５（図４）を育苗できる。植物２５の植え替えは、栽培容器５をこのフレーム６から外して任意の箇所で行える。そのため、この空気清浄緑化装置１の設置位置での植物２５の植え込みや植え替えの手間が不要で施工性が良い。また、施工性が良いため、植栽や植え替えに伴う植栽基盤７である土壌の密度の低下や密度のむらが生じ難く、密度むら等による空気の流動性低下も解消できる。また、栽培基盤７は栽培容器５内に充填するため、空気浄化と植栽に必要な最低限の量まで削減でき、そのため装置の軽量化も可能となる。また、被浄化空気を送り込むための圧力を小さくでき、そのため送風手段４の必要性能を低減することもできる。通気層３は、この空気清浄緑化装置１のメンテナンスなどに用いる道具やその他の資材の収納空間としても利用できる。この場合、通気層３に開閉扉を設けても良い。
【００３２】
植栽層２のフレーム６内における栽培容器５の周囲は、空間としても良いが、通気性、通水性、および形状維持性の性状を持つ材質の充填材１０を充填しているため、灌水が充填材１０の隙間を通って流れ、各栽培容器５の植栽基盤７に案内される。そのため、灌水性に優れる。また、充填材１０は非栽培部であるため、通気性、通水性、および形状維持性の性状を持つ材質であれば良く、植物を育成する機能は不要であるため、材質選定の自由度が高く、スポンジ等の軽量な材質を選定して装置全体を軽量化することができる。充填材１０は形状維持性を有するため、栽培容器５を抜き差しするときに形状が崩れず、栽培容器５の抜き差しの施工性が良い。
【００３３】
前記栽培容器５は、通気・通水用開口部５ｂが容器底部に位置し、周面に位置する形状であるため、次の各利点が得られる。通気・通水用開口部５ｂが栽培容器５の植栽用開口部５ａの近くにあると、植栽基盤７内を通過する空気の流れが短絡流れなって、植栽基盤７に空気の浄化に寄与しない部分が多く生じるが、栽培容器５の底部に通気・通水用開口部５ｂが存在することで、植栽基盤７のより多くの部分が空気の浄化に寄与し、効果的に空気の浄化が行われる。また、栽培容器５の底部に通気・通水用開口部５ｂが存在することで、植栽基盤７への灌水も効果的に行なわれる。
前記通気・通水用開口部５ｂは、前記栽培容器５の周面の底部に配置することがより好ましい。周面であると、底面に設けるよりも、複数設けられる通気・通水用開口部の全体の面積を大きく設けることができる。
【００３４】
また、フレーム６の正面パネル６ａの差込口９の周囲には栽培容器５との間の隙間を密封するシール材１６を設けたため、空気の漏れが生じない。すなわち、通気層３に送り込んだ空気は、さらに植栽層２における各栽培容器５の間の充填材１０から栽培容器５に送り込む。このとき、差込口９と栽培容器５との間に隙間が生じていると、空気が浄化されることなく外部に漏れるが、前記シール材１６を設けることで、漏れが生じず、栽培容器内に全て送り込まれる。そのため浄化効率の低下が防止される。
【００３５】
図５は、この発明の他の実施形態の部分断面図を示す。この実施形態では、前記フレーム６の表面パネル６ａの差込口９に差し込んだ栽培容器５を固定するのに、先の実施形態におけるボルト１５に替えてリング状の固定用蓋１７を用いている。この例の場合も、フレーム６の表面パネル６ａの差込口９に栽培容器５を差し込んだ状態で、栽培容器５の植栽用開口部５ａの外周の鍔部５ｃは表面パネル６ａにおける差込口９の周辺部に重なる。表面パネル６ａには、栽培容器５の前記鍔部５ｃの外側に位置して前記差込口９と同心の周壁１８が設けられ、この周壁１８の外周面には雄ねじ１８ａが形成されている。前記固定用蓋１７は、栽培容器５の鍔部５ｃに重なる外径の口部１７ａとこの口部１７ａに続き口部１７ａよりも外径の大きい拡径部１７ｂとでなり、拡径部１７ｂの内周面には表面パネル６ａに設けられた前記周壁１８の外周面の雄ねじ１８ａに螺合する雌ねじ１７ｃが形成されている。これにより、同図に鎖線で示すように、固定用蓋１７をその拡径部１７ｂの雌ねじ１７ｃで表面パネル６ａの周壁１８の雄ねじ１８ａに螺合させることで、栽培容器５の鍔部５ｃを固定用蓋１７の口部１７ａの下端で表面パネル６ａに押しつけることができ、栽培容器５を固定することができる。なお、周壁１８の外周面の雄ねじ１８ａは、円周方向の一部ずつに分かれた部分ねじであっても良い。
【００３６】
この実施形態のようにフレーム６に雄ねじ１８ａを設けて栽培容器５を固定する形式の場合、栽培容器５を設置する際に自由な向きに固定することができる。また、複数のねじ止めを行う場合に比べて施工性に優れる。栽培容器５を設置する向きの自由度が高いと、植物２５の育成の状態が偏っている場合などに、日当たり状態などに応じて向きを変えることができる。
栽培容器５の鍔部５ｃとフレーム６の表面パネル６ａとの間にシール材１６が配置されることは、先の実施形態の場合と同様である。また、ここでは、空気浄化緑化装置１の全体や、フレーム６などその他の構成は図示しないが、これらも先の実施形態の場合と同様である。
【００３７】
図６は、この発明のさらに他の実施形態の部分斜視図（図６（Ａ））および部分縦断面図（図６（Ｂ））を示す。この実施形態では、前記フレーム６の表面パネル６ａの差込口９に差し込んだ栽培容器５を固定するのに、図１〜図４に示した実施形態の場合のボルト１５に替えてＵ字状の留め具１９を用いている。この場合も、フレーム６の表面パネル６ａの差込口９に栽培容器５を差し込んだ状態で、栽培容器５の植栽用開口部５ａの外周の鍔部５ｃは、図６（Ｂ）のように表面パネル６ａにおける差込口９の周辺部に重なる。表面パネル６ａには、図６（Ａ）のように正面形状が逆Ｕ字状で断面がＬ字状のストッパー２０が設けられる。
【００３８】
前記ストッパー２０は、表面パネル６ａと平行な二股部２０ａと、栽培容器５の前記鍔部５ｃの外側に位置して表面パネル６ａから立ち上がる縦板部２０ｂとでなり、二股部２０ａの内側の基端部は表面パネル６ａの差込口９と略重なる円形で両側部は栽培容器５の鍔部５ｃの外径に略等しい幅に形成されている。栽培容器５を差込口９に差し込んだ状態で、栽培容器５の鍔部５ｃは、前記ストッパー２０の二股部２０ａの内側の基端部よりも外側の位置となる縦板部２０ｂの内側で受け止められる状態に納まる。したがって、表面パネル６ａの差込口９に栽培容器５を差し込むときには、図６（Ａ）のように栽培容器５の植栽用開口部５ａがストッパー２０の二股部２０ａの基端部から離れるような傾斜姿勢で差し込むことで、栽培容器５の鍔部５ｃが二股部２０ａの基端部に引っかかるのを避ける。
【００３９】
Ｕ字状の留め具１９は、円弧部の内径が栽培容器５の植栽用開口部５ａの外径より若干大きく、両端部間の寸法は前記ストッパー２０の二股部２０ａの両端部間の寸法に略等しくされていて、その厚みはストッパー２０の二股部２０ａと栽培容器５の鍔部５ｃとの間の隙間にがたつき無く差し込み可能に設定されている。これにより、表面パネル６ａの差込孔９に栽培容器５を差し込んだ状態で、栽培容器５の鍔部５ｃとストッパー２０の二股部２０ａとの間の隙間に前記留め具１９を差し込むことで、栽培容器５の鍔部５ｃを表面パネル６ａに押しつけることができ、栽培容器５をフレーム６の表面パネル６ａに固定することができる。このように留め具１９を用いて栽培容器５を止めつける構成の場合、栽培容器５を設置する向きの自由度が高く、施工も、工具を使わずに楽に施工できるという利点がある。
栽培容器５の鍔部５ｃとフレーム６の表面パネル６ａとの間にシール材１６が配置されることは、先の実施形態の場合と同様である。また、ここでも、空気浄化緑化装置１の全体や、フレーム６などその他の構成は図示しないが、これらも図１〜図４に示した先の実施形態の場合と同様である。
【符号の説明】
【００４０】
１…空気清浄緑化装置
２…植栽層
３…通気層
４…送風手段
５…栽培容器
５ａ…植栽用開口部
５ｂ…通気・通水用開口部
５ｃ…鍔部
６…フレーム
７…植栽基盤
９…差込口
１０…充填材
１６…シール材
【図１】
0006661279.tif 000002
【図２】
0006661279.tif 000003
【図３】
0006661279.tif 000004
【図４】
0006661279.tif 000005
【図５】
0006661279.tif 000006
【図６】
0006661279.tif 000007
【図７】
0006661279.tif 000008